【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
複数の構成要素を備えた収集物の情報を表示する方法であって、第１の収集物を表す第１の画像オブジェクトを表示する工程と、画像オブジェクト構成要素の画像オブジェクトが、前記画像オブジェクトによって表される前記構成要素に関連付けられた前記グリッドの前記１つ又は複数のセルに基づいて前記第１の収集物の前記複数の構成要素における各構成要素の画像オブジェクトを表示されるように表示する工程とを含み、前記第１の画像オブジェクトは、2次元平面上の特定の形状及びサイズ、並びに格子線を持つタイル型のセルの領域が互いに関連する第１の範囲を有し、前記複数の構成要素における各構成要素は、前記グリッドの１つ又は複数のセルの格子と関連付けられ、前記第１の収集物の前記構成要素を表す画像オブジェクト全てが、前記第１の画像オブジェクトの前記第１の範囲によって画定される前記領域内に表示されるように前記グリッドをスケーリングし、位置付ける工程を備える工程とを備える方法。
【請求項２】
前記グリッドを位置付ける工程は、前記複数の構成要素に関連付けられたセルのグリッドの全長を示すセントロイドが前記第１の画像オブジェクトのセントロイドと同じである請求項１記載の方法。
【請求項３】
前記グリッドをスケーリングする工程は、前記第１の収集物の前記構成要素ができる限り大きく表示されるように前記グリッドをスケーリングする工程を備える請求項１記載の方法。
【請求項４】
第２の範囲が、前記第１の画像オブジェクトと関連付けられ、前記第２の範囲によって画定される領域が、前記第１の画像オブジェクトの前記第１の範囲によって画定される前記領域内にあり、前記第１の収集物の前記複数の構成要素を表す前記画像オブジェクトが前記第２の範囲内に表示される請求項１記載の方法。
【請求項５】
前記グリッドの第１のセルが、前記複数の構成要素における第１の構成要素、及び前記複数の構成要素における第２の構成要素と関連付けられる請求項１記載の方法。
【請求項６】
前記スケーリングし、位置付ける工程は、前記第１の収集物の前記複数の構成要素に関連付けられた前記グリッドのセル全てが、前記第１の画像オブジェクトの前記第１の範囲に位置付けられるように前記グリッドをスケーリングし、位置付ける工程を備える請求項１記載の方法。
【請求項７】
前記複数の構成要素における各構成要素の画像オブジェクトを表示する工程が、前記複数からの構成要素の少なくとも１つの構成要素について、前記少なくとも１つの構成要素に関連付けられた前記グリッドのセルの組を判定する工程と、前記少なくとも１つの構成要素を表す前記画像オブジェクトを、前記グリッドのセルの前記組に対応する位置に表示する工程とを備える請求項１記載の方法。
【請求項８】
前記セルの組に基づいて最小バウンディング・ボックスを判定する工程を更に備える請求項７記載の方法。
【請求項９】
前記第１の収集物の前記複数の構成要素における少なくとも１つの構成要素が、１つ又は複数の構成要素を備える第２の収集物であり、前記第２の収集物における各構成要素の画像オブジェクトを、構成要素の前記画像オブジェクトが、前記画像オブジェクトによって表される前記構成要素に関連付けられた前記第２の収集物を表す前記画像オブジェクトのグリッドの１つ又は複数のセルに基づいて表示されるように表示する工程を更に備え、前記表示する工程は、前記第２の収集物の前記構成要素を表す画像オブジェクト全てが、前記第２の収集物を表す前記画像オブジェクトに関連付けられた範囲によって画定される領域内に表示されるように前記第２の収集物を表す前記画像オブジェクトに関連付けられた前記グリッドをスケーリングし、位置付ける工程を備える請求項１記載の方法。
【請求項１０】
新たな構成要素の前記第１の収集物への追加を表す情報を受信する工程と、前記新たな構成要素を含む、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付ける工程と、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように再表示する工程とを更に備える請求項1記載の方法。
【請求項１１】
前記第１の収集物からの少なくとも１つの構成要素の削除を示す情報を受信する工程と、前記削除された構成要素を除く、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付ける工程と、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように再表示する工程とを更に備える請求項1記載の方法。
【請求項１２】
前記第１の収集物における第１の構成要素を表す画像オブジェクトのサイズ又は位置における変化を示す情報を受信する工程と、前記第１の構成要素を含む、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付ける工程と、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように再表示する工程とを更に備える請求項1記載の方法。
【請求項１３】
収集物の情報を表示するシステムであって、プロセッサと、ディスプレイとを備え、前記プロセッサは、第１の収集物を表す第１の画像オブジェクトを前記ディスプレイ上に表示させるよう構成され、前記第１の画像オブジェクトは、2次元平面上の特定の形状及びサイズ、並びに格子線を持つタイル型のセルの領域が互いに関連する第１の範囲を有し、複数の構成要素における各構成要素は、前記グリッドの１つ又は複数のセルの格子と関連付けられ、前記プロセッサは、画像オブジェクト構成要素の画像オブジェクトが、前記画像オブジェクトによって表される前記構成要素に関連付けられた前記グリッドの前記１つ又は複数のセルに基づいて前記第１の収集物の前記複数の構成要素における各構成要素の画像オブジェクトを表示されるように前記ディスプレイ上に表示させるよう更に構成され、前記表示は、前記第１の収集物の前記構成要素を表す画像オブジェクト全てが、前記第１の画像オブジェクトの前記第１の範囲によって画定される前記領域内に表示されるように前記グリッドをスケーリングし、位置付けるシステム。
【請求項１４】
前記プロセッサは、前記複数の構成要素に関連付けられたセルのグリッドの全長を示すセントロイドが前記第１の画像オブジェクトのセントロイドと同じであるように前記グリッドを位置付けるよう構成される請求項１３記載のシステム。
【請求項１５】
前記プロセッサは、前記第１の収集物の前記構成要素を表す画像オブジェクト全てができる限り大きく表示されるように前記グリッドをスケーリングするよう構成される請求項１３記載のシステム。
【請求項１６】
第２の範囲が、前記第１の画像オブジェクトと関連付けられ、前記第２の範囲によって画定される領域が、前記第１の画像オブジェクトの前記第１の範囲によって画定される前記領域内にあり、前記第１の収集物の前記複数の構成要素を表す前記画像オブジェクトが前記第２の範囲内に表示される請求項１３記載のシステム。
【請求項１７】
前記グリッドの第１のセルが、前記複数の構成要素における第１の構成要素、及び前記複数の構成要素における第２の構成要素と関連付けられる請求項１３記載のシステム。
【請求項１８】
前記プロセッサは、前記第１の収集物の前記複数の構成要素に関連付けられた前記グリッドのセル全てが、前記第１の画像オブジェクトの前記第１の範囲内に位置付けられるように前記グリッドをスケーリングし、位置付ける請求項１３記載のシステム。
【請求項１９】
前記プロセッサは、前記複数の構成要素からの少なくとも１つの構成要素について、前記少なくとも１つの構成要素に関連付けられた前記グリッドのセルの組を判定し、前記少なくとも１つの構成要素を表す前記画像オブジェクトを前記グリッドの前記セルの組に対応する位置に表示するよう構成された請求項１３記載のシステム。
【請求項２０】
前記プロセッサは、前記セルの組に基づいて最小バウンディング・ボックスを判定するよう構成される請求項１９記載のシステム。
【請求項２１】
前記プロセッサは、前記第１の画像オブジェクトに関連付けられた前記グリッドを表示するよう構成される請求項１３記載のシステム。
【請求項２２】
前記第１の収集物の前記複数の構成要素における少なくとも１つの構成要素が、１つ又は複数の構成要素の組を備える第２の収集物であり、前記プロセッサは、前記第２の収集物における各構成要素の画像オブジェクトを、構成要素の前記画像オブジェクトが、前記画像オブジェクトによって表される前記構成要素に関連付けられた前記第２の収集物を表す前記画像オブジェクトのグリッドの１つ又は複数のセルに基づいて表示されるように上記ディスプレイ上に表示させるよう構成され、前記表示は、前記第２の収集物の前記構成要素を表す画像オブジェクト全てが、前記第２の収集物を表す前記画像オブジェクトに関連付けられた範囲によって画定される領域内に表示されるように前記第２の収集物を表す前記画像オブジェクトに関連付けられた前記グリッドをスケーリングし、位置付ける請求項１３記載のシステム。
【請求項２３】
前記プロセッサは、新たな構成要素の前記第１の収集物への追加を示す情報を受信し、前記新たな構成要素を含む、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付け、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように上記ディスプレイ上に再表示させるよう構成される請求項１３記載のシステム。
【請求項２４】
前記プロセッサは、前記第１の収集物からの少なくとも１つの構成要素の削除を示す情報を受信し、前記削除された構成要素を除く、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付け、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように上記ディスプレイ上に再表示させるよう構成される請求項１３記載のシステム。
【請求項２５】
前記プロセッサは、前記第１の収集物における第１の構成要素を表す画像オブジェクトのサイズ又は位置における変化を示す情報を受信し、前記第１の構成要素を含む、前記第１の収集物の前記複数の構成要素に関連付けられた前記グリッドのセル全てが、前記第１の収集物を表す前記第１の画像オブジェクトの前記第１の範囲内に位置付けられるように前記グリッドをスケーリングし、位置付け、前記第１の収集物の前記複数の構成要素における各構成要素の画像オブジェクトを、構成要素の前記画像オブジェクトが、前記構成要素に関連付けられた前記グリッドの前記１つ又は複数のセルに対応する位置に表示され、前記第１の収集物の前記複数の構成要素を表す前記画像オブジェクトが、前記第１の画像オブジェクトの前記第１の範囲内に表示されるように上記ディスプレイ上に再表示させるよう構成された請求項１３記載のシステム。
【請求項２６】
情報を表示するようプロセッサを制御するために複数の命令を記憶するコンピュータ読み取り可能な媒体であって、前記複数の命令は、前記プロセッサに、第１の収集物を表す第１の画像オブジェクトを前記ディスプレイ上に表示させる命令であって、前記第１の画像オブジェクトは、2次元平面上の特定の形状及びサイズ、並びにグリッドのタイリングされたセルの領域を画定する関連付けられた第１の範囲を有し、前記複数の構成要素における構成要素それぞれが、前記グリッドの１つ又は複数のセルと関連付けられる命令と、前記プロセッサに、前記第１の収集物の前記複数の構成要素における各構成要素の画像オブジェクトを、構成要素の前記画像オブジェクトが、前記画像オブジェクトによって表される前記構成要素に関連付けられた前記グリッドの前記１つ又は複数のセルに基づいて表示されるように前記ディスプレイ上に表示させる命令であって、前記表示は、前記第１の収集物の前記構成要素を表す画像オブジェクト全てが、前記第１の画像オブジェクトの前記第１の範囲によって画定される前記領域内に表示されるように前記グリッドをスケーリングし、位置付ける命令とを備えるコンピュータ読み取り可能な媒体。